【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
塗色の色及び質感を表現し得る２つのパラメータを座標軸とする２次元平面上に、複数の塗色を配置した塗色の質感マップの作成方法であって、
複数の前記塗色の各々に関して複数の受光角度で測定された複数の分光反射率から少なくとも３つの特徴量を求める第１ステップと、
少なくとも３つの前記特徴量を含むデータ群を主成分分析して、前記特徴量の１次式で表される第１主成分及び第２主成分を求める第２ステップと、
複数の前記塗色について前記第１主成分及び第２主成分の値を求める第３ステップと、
前記第１主成分及び第２主成分を２つの前記パラメータとして、前記第１主成分及び第２主成分の値を座標とする前記２次元平面上の位置に、前記塗色を配置する第４ステップとを含み、
前記特徴量が、ＩＶ値、ＳＶ値、ＦＦ値、ｃＦＦ値、メタル感指数、深み感指数、鮮明度からなる群の中から選択される何れかであり、
前記ＩＶ値が、偏角が１５度の方向から測定した分光反射率から求めたＸＹＺ表色系におけるＹ値であり、
前記ＳＶ値が、偏角が４５度の方向から測定した分光反射率から求めたＸＹＺ表色系におけるＹ値であり、
前記ＦＦ値が、偏角が１５度の方向から測定した分光反射率から求めたＸＹＺ表色系におけるＹ値をＹ15とし、偏角が４５度の方向から測定した分光反射率から求めたＸＹＺ表色系におけるＹ値をＹ45として、２×（Ｙ15−Ｙ45）／（Ｙ15＋Ｙ45）によって求められ、
前記ｃＦＦ値が、偏角が１５度の方向から測定した分光反射率から求めたＬ*ｃ*ｈ表色系におけるｃ*値をｃ*15とし、偏角が４５度の方向から測定した分光反射率から求めたＬ*ｃ*ｈ表色系におけるｃ*値をｃ*45として、２×（ｃ*15−ｃ*45）／（ｃ*15＋ｃ*45）によって求められ、
前記メタル感指数が、前記Ｙ15及びＦＦから、Ｙ15×ＦＦ２によって求められ、
前記深み感指数が、代表角度での分光反射率から求めたＬ*ｃ*ｈ表色系におけるＬ*値及びｃ*値をそれぞれＬ*R及びｃ*Rとし、これらを用いてｃ＊R／Ｌ＊Rによって求められ、
前記鮮明度が、前記Ｌ*R及びｃ*Rを用いてｓｑｒｔ（Ｌ＊R2＋ｃ＊R2）によって求められることを特徴とする塗色の質感マップの作成方法。
【請求項２】
２つの前記パラメータが、塗色の陰影感を表すパラメータ及び塗色の重量感を表すパラメータであることを特徴とする請求項１に記載の塗色の質感マップの作成方法。
【請求項３】
２次元平面が紙又は樹脂フィルムの表面であり、
複数の前記塗色が印刷または描画によって前記表面に配置されていることを特徴とする請求項１または２に記載の塗色の質感マップの作成方法。
【請求項４】
塗色の色及び質感を表現し得る２つのパラメータを座標軸とする２次元平面上に、複数の塗色を配置した塗色の質感マップであって、
２つの前記パラメータが、各塗色を複数の受光角度で測色して得られた複数の分光反射率から求められた、少なくとも３つの特徴量を含むデータ群を主成分分析して求められた第１主成分及び第２主成分であり、
前記特徴量が、ＩＶ値、ＳＶ値、ＦＦ値、ｃＦＦ値、メタル感指数、深み感指数、鮮明度からなる群の中から選択される何れかであり、
前記ＩＶ値が、偏角が１５度の方向から測定した分光反射率から求めたＸＹＺ表色系におけるＹ値であり、
前記ＳＶ値が、偏角が４５度の方向から測定した分光反射率から求めたＸＹＺ表色系におけるＹ値であり、
前記ＦＦ値が、偏角が１５度の方向から測定した分光反射率から求めたＸＹＺ表色系におけるＹ値をＹ15とし、偏角が４５度の方向から測定した分光反射率から求めたＸＹＺ表色系におけるＹ値をＹ45として、２×（Ｙ15−Ｙ45）／（Ｙ15＋Ｙ45）によって求められ、
前記ｃＦＦ値が、偏角が１５度の方向から測定した分光反射率から求めたＬ*ｃ*ｈ表色系におけるｃ*値をｃ*15とし、偏角が４５度の方向から測定した分光反射率から求めたＬ*ｃ*ｈ表色系におけるｃ*値をｃ*45として、２×（ｃ*15−ｃ*45）／（ｃ*15＋ｃ*45）によって求められ、
前記メタル感指数が、前記Ｙ15及びＦＦから、Ｙ15×ＦＦ２によって求められ、
前記深み感指数が、代表角度での分光反射率から求めたＬ*ｃ*ｈ表色系におけるＬ*値及びｃ*値をそれぞれＬ*R及びｃ*Rとし、これらを用いてｃ＊R／Ｌ＊Rによって求められ、
前記鮮明度が、前記Ｌ*R及びｃ*Rを用いてｓｑｒｔ（Ｌ＊R2＋ｃ＊R2）によって求められることを特徴とする塗色の質感マップ。
【請求項５】
塗色の色及び質感を表現し得る２つのパラメータを座標軸とする２次元平面上に、複数の塗色を配置した塗色の質感マップの作成プログラムであって、
コンピュータに、
記録装置に記録された、複数の前記塗色の各々に関して複数の受光角度で測定された分光反射率を用いて少なくとも３つの特徴量を求める第１の機能と、
少なくとも３つの前記特徴量を含むデータ群を主成分分析し、前記特徴量の１次式で表される第１主成分及び第２主成分を求める第２の機能と、
複数の前記塗色の各々に関して、前記第１主成分及び第２主成分の値を求める第３の機能と、
前記第１主成分及び第２主成分を２つの前記パラメータとして、前記第１主成分及び第２主成分の値を座標とする前記２次元平面上の位置に、前記塗色を描画して質感マップの画像データを作成する第４の機能とを実現させ、
前記特徴量が、ＩＶ値、ＳＶ値、ＦＦ値、ｃＦＦ値、メタル感指数、深み感指数、鮮明度からなる群の中から選択される何れかであり、
前記ＩＶ値が、偏角が１５度の方向から測定した分光反射率から求めたＸＹＺ表色系におけるＹ値であり、
前記ＳＶ値が、偏角が４５度の方向から測定した分光反射率から求めたＸＹＺ表色系におけるＹ値であり、
前記ＦＦ値が、偏角が１５度の方向から測定した分光反射率から求めたＸＹＺ表色系におけるＹ値をＹ15とし、偏角が４５度の方向から測定した分光反射率から求めたＸＹＺ表色系におけるＹ値をＹ45として、２×（Ｙ15−Ｙ45）／（Ｙ15＋Ｙ45）によって求められ、
前記ｃＦＦ値が、偏角が１５度の方向から測定した分光反射率から求めたＬ*ｃ*ｈ表色系におけるｃ*値をｃ*15とし、偏角が４５度の方向から測定した分光反射率から求めたＬ*ｃ*ｈ表色系におけるｃ*値をｃ*45として、２×（ｃ*15−ｃ*45）／（ｃ*15＋ｃ*45）によって求められ、
前記メタル感指数が、前記Ｙ15及びＦＦから、Ｙ15×ＦＦ２によって求められ、
前記深み感指数が、代表角度での分光反射率から求めたＬ*ｃ*ｈ表色系におけるＬ*値及びｃ*値をそれぞれＬ*R及びｃ*Rとし、これらを用いてｃ＊R／Ｌ＊Rによって求められ、
前記鮮明度が、前記Ｌ*R及びｃ*Rを用いてｓｑｒｔ（Ｌ＊R2＋ｃ＊R2）によって求められることを特徴とする塗色の質感マップの作成プログラム。
【請求項６】
演算装置と多角度分光光度計とを備え、
塗色の色及び質感を表現し得る２つのパラメータを２つの座標軸とする２次元平面上に、複数の塗色を配置した塗色の質感マップを作成するシステムであって、
複数の塗色の各々に関して、前記多角度分光光度計によって複数の受光角度における分光反射率が測定され、
測定された前記分光反射率が前記演算装置に伝送され、
前記演算装置が、
複数の前記塗色の各々に関して、複数の前記分光反射率から少なくとも３つの特徴量を求め、
少なくとも３つの前記特徴量を含むデータ群を主成分分析して、前記特徴量の１次式である第１主成分及び第２主成分を求め、
複数の前記塗色の第１主成分及び第２主成分の値を求め、且つ、
前記第１主成分及び第２主成分を２つの前記パラメータとして、前記第１主成分及び第２主成分の値を座標とする前記２次元平面上の位置に、前記塗色を配置して塗色の質感マップを作成し、
前記特徴量が、ＩＶ値、ＳＶ値、ＦＦ値、ｃＦＦ値、メタル感指数、深み感指数、鮮明度からなる群の中から選択される何れかであり、
前記ＩＶ値が、偏角が１５度の方向から測定した分光反射率から求めたＸＹＺ表色系におけるＹ値であり、
前記ＳＶ値が、偏角が４５度の方向から測定した分光反射率から求めたＸＹＺ表色系におけるＹ値であり、
前記ＦＦ値が、偏角が１５度の方向から測定した分光反射率から求めたＸＹＺ表色系におけるＹ値をＹ15とし、偏角が４５度の方向から測定した分光反射率から求めたＸＹＺ表色系におけるＹ値をＹ45として、２×（Ｙ15−Ｙ45）／（Ｙ15＋Ｙ45）によって求められ、
前記ｃＦＦ値が、偏角が１５度の方向から測定した分光反射率から求めたＬ*ｃ*ｈ表色系におけるｃ*値をｃ*15とし、偏角が４５度の方向から測定した分光反射率から求めたＬ*ｃ*ｈ表色系におけるｃ*値をｃ*45として、２×（ｃ*15−ｃ*45）／（ｃ*15＋ｃ*45）によって求められ、
前記メタル感指数が、前記Ｙ15及びＦＦから、Ｙ15×ＦＦ２によって求められ、
前記深み感指数が、代表角度での分光反射率から求めたＬ*ｃ*ｈ表色系におけるＬ*値及びｃ*値をそれぞれＬ*R及びｃ*Rとし、これらを用いてｃ＊R／Ｌ＊Rによって求められ、
前記鮮明度が、前記Ｌ*R及びｃ*Rを用いてｓｑｒｔ（Ｌ＊R2＋ｃ＊R2）によって求められることを特徴とする塗色の質感マップの作成システム。
【請求項７】
塗色の色及び質感を表現し得る２つのパラメータを２つの座標軸とする２次元平面上に、複数の塗色を配置した塗色の質感マップを作成するためのデータ構造であって、
前記２次元平面上の座標を表す２つの前記パラメータの値と、塗色の色を特定する情報とが対応するように構成され、
前記パラメータの値が、
複数の前記塗色の各々に関して測定された複数の受光角度における分光反射率を用いて少なくとも３つの特徴量が求められ、
少なくとも３つの前記特徴量を含むデータ群が主成分分析され、前記特徴量の１次式である第１主成分及び第２主成分が求められ、
複数の前記塗色の各々に関して求められた、前記第１主成分及び第２主成分の値であり、
前記特徴量が、ＩＶ値、ＳＶ値、ＦＦ値、ｃＦＦ値、メタル感指数、深み感指数、鮮明度からなる群の中から選択される何れかであり、
前記ＩＶ値が、偏角が１５度の方向から測定した分光反射率から求めたＸＹＺ表色系におけるＹ値であり、
前記ＳＶ値が、偏角が４５度の方向から測定した分光反射率から求めたＸＹＺ表色系におけるＹ値であり、
前記ＦＦ値が、偏角が１５度の方向から測定した分光反射率から求めたＸＹＺ表色系におけるＹ値をＹ15とし、偏角が４５度の方向から測定した分光反射率から求めたＸＹＺ表色系におけるＹ値をＹ45として、２×（Ｙ15−Ｙ45）／（Ｙ15＋Ｙ45）によって求められ、
前記ｃＦＦ値が、偏角が１５度の方向から測定した分光反射率から求めたＬ*ｃ*ｈ表色系におけるｃ*値をｃ*15とし、偏角が４５度の方向から測定した分光反射率から求めたＬ*ｃ*ｈ表色系におけるｃ*値をｃ*45として、２×（ｃ*15−ｃ*45）／（ｃ*15＋ｃ*45）によって求められ、
前記メタル感指数が、前記Ｙ15及びＦＦから、Ｙ15×ＦＦ２によって求められ、
前記深み感指数が、代表角度での分光反射率から求めたＬ*ｃ*ｈ表色系におけるＬ*値及びｃ*値をそれぞれＬ*R及びｃ*Rとし、これらを用いてｃ＊R／Ｌ＊Rによって求められ、
前記鮮明度が、前記Ｌ*R及びｃ*Rを用いてｓｑｒｔ（Ｌ＊R2＋ｃ＊R2）によって求められることを特徴とする塗色の質感マップのデータ構造。
【手続補正２】
【補正対象書類名】明細書
【補正対象項目名】００１５
【補正方法】変更
【補正の内容】
【００１５】
本発明に係る塗色の質感マップの作成方法（１）は、塗色の色及び質感を表現し得る２つのパラメータを座標軸とする２次元平面上に、複数の塗色を配置した塗色の質感マップの作成方法であって、複数の前記塗色の各々に関して複数の受光角度で測定された複数の分光反射率から少なくとも３つの特徴量を求める第１ステップと、少なくとも３つの前記特徴量を含むデータ群を主成分分析して、前記特徴量の１次式で表される第１主成分及び第２主成分を求める第２ステップと、複数の前記塗色について前記第１主成分及び第２主成分の値を求める第３ステップと、前記第１主成分及び第２主成分を２つの前記パラメータとして、前記第１主成分及び第２主成分の値を座標とする前記２次元平面上の位置に、前記塗色を配置する第４ステップとを含み、前記特徴量が、ＩＶ値、ＳＶ値、ＦＦ値、ｃＦＦ値、メタル感指数、深み感指数、鮮明度からなる群の中から選択される何れかであり、前記ＩＶ値が、偏角が１５度の方向から測定した分光反射率から求めたＸＹＺ表色系におけるＹ値であり、前記ＳＶ値が、偏角が４５度の方向から測定した分光反射率から求めたＸＹＺ表色系におけるＹ値であり、前記ＦＦ値が、偏角が１５度の方向から測定した分光反射率から求めたＸＹＺ表色系におけるＹ値をＹ15とし、偏角が４５度の方向から測定した分光反射率から求めたＸＹＺ表色系におけるＹ値をＹ45として、２×（Ｙ15−Ｙ45）／（Ｙ15＋Ｙ45）によって求められ、前記ｃＦＦ値が、偏角が１５度の方向から測定した分光反射率から求めたＬ*ｃ*ｈ表色系におけるｃ*値をｃ*15とし、偏角が４５度の方向から測定した分光反射率から求めたＬ*ｃ*ｈ表色系におけるｃ*値をｃ*45として、２×（ｃ*15−ｃ*45）／（ｃ*15＋ｃ*45）によって求められ、前記メタル感指数が、前記Ｙ15及びＦＦから、Ｙ15×ＦＦ２によって求められ、前記深み感指数が、代表角度での分光反射率から求めたＬ*ｃ*ｈ表色系におけるＬ*値及びｃ*値をそれぞれＬ*R及びｃ*Rとし、これらを用いてｃ＊R／Ｌ＊Rによって求められ、前記鮮明度が、前記Ｌ*R及びｃ*Rを用いてｓｑｒｔ（Ｌ＊R2＋ｃ＊R2）によって求められることを特徴としている。
【手続補正３】
【補正対象書類名】明細書
【補正対象項目名】００１６
【補正方法】変更
【補正の内容】
【００１６】
また、本発明に係る塗色の質感マップの作成方法（２）は、上記の塗色の質感マップの作成方法（１）において、２つの前記パラメータが、塗色の陰影感を表すパラメータ及び塗色の重量感を表すパラメータであることを特徴としている。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】変更
【補正の内容】
【００２０】
また、本発明に係る塗色の質感マップの作成方法（３）は、上記の塗色の質感マップの作成方法（１）または（２）において、２次元平面が紙又は樹脂フィルムの表面であり、複数の前記塗色が印刷または描画によって前記表面に配置されていることを特徴としている。
【手続補正８】
【補正対象書類名】明細書
【補正対象項目名】００２１
【補正方法】変更
【補正の内容】
【００２１】
本発明に係る塗色の質感マップは、塗色の色及び質感を表現し得る２つのパラメータを座標軸とする２次元平面上に、複数の塗色を配置した塗色の質感マップであって、２つの前記パラメータが、各塗色を複数の受光角度で測色して得られた複数の分光反射率から求められた、少なくとも３つの特徴量を含むデータ群を主成分分析して求められた第１主成分及び第２主成分であり、前記特徴量が、ＩＶ値、ＳＶ値、ＦＦ値、ｃＦＦ値、メタル感指数、深み感指数、鮮明度からなる群の中から選択される何れかであり、前記ＩＶ値が、偏角が１５度の方向から測定した分光反射率から求めたＸＹＺ表色系におけるＹ値であり、前記ＳＶ値が、偏角が４５度の方向から測定した分光反射率から求めたＸＹＺ表色系におけるＹ値であり、前記ＦＦ値が、偏角が１５度の方向から測定した分光反射率から求めたＸＹＺ表色系におけるＹ値をＹ15とし、偏角が４５度の方向から測定した分光反射率から求めたＸＹＺ表色系におけるＹ値をＹ45として、２×（Ｙ15−Ｙ45）／（Ｙ15＋Ｙ45）によって求められ、前記ｃＦＦ値が、偏角が１５度の方向から測定した分光反射率から求めたＬ*ｃ*ｈ表色系におけるｃ*値をｃ*15とし、偏角が４５度の方向から測定した分光反射率から求めたＬ*ｃ*ｈ表色系におけるｃ*値をｃ*45として、２×（ｃ*15−ｃ*45）／（ｃ*15＋ｃ*45）によって求められ、前記メタル感指数が、前記Ｙ15及びＦＦから、Ｙ15×ＦＦ２によって求められ、前記深み感指数が、代表角度での分光反射率から求めたＬ*ｃ*ｈ表色系におけるＬ*値及びｃ*値をそれぞれＬ*R及びｃ*Rとし、これらを用いてｃ＊R／Ｌ＊Rによって求められ、前記鮮明度が、前記Ｌ*R及びｃ*Rを用いてｓｑｒｔ（Ｌ＊R2＋ｃ＊R2）によって求められることを特徴としている。
【手続補正９】
【補正対象書類名】明細書
【補正対象項目名】００２２
【補正方法】変更
【補正の内容】
【００２２】
本発明に係る塗色の質感マップの作成プログラムは、塗色の色及び質感を表現し得る２つのパラメータを座標軸とする２次元平面上に、複数の塗色を配置した塗色の質感マップの作成プログラムであって、コンピュータに、記録装置に記録された、複数の前記塗色の各々に関して複数の受光角度で測定された分光反射率を用いて少なくとも３つの特徴量を求める第１の機能と、少なくとも３つの前記特徴量を含むデータ群を主成分分析し、前記特徴量の１次式で表される第１主成分及び第２主成分を求める第２の機能と、複数の前記塗色の各々に関して、前記第１主成分及び第２主成分の値を求める第３の機能と、前記第１主成分及び第２主成分を２つの前記パラメータとして、前記第１主成分及び第２主成分の値を座標とする前記２次元平面上の位置に、前記塗色を描画して質感マップの画像データを作成する第４の機能とを実現させ、前記特徴量が、ＩＶ値、ＳＶ値、ＦＦ値、ｃＦＦ値、メタル感指数、深み感指数、鮮明度からなる群の中から選択される何れかであり、前記ＩＶ値が、偏角が１５度の方向から測定した分光反射率から求めたＸＹＺ表色系におけるＹ値であり、前記ＳＶ値が、偏角が４５度の方向から測定した分光反射率から求めたＸＹＺ表色系におけるＹ値であり、前記ＦＦ値が、偏角が１５度の方向から測定した分光反射率から求めたＸＹＺ表色系におけるＹ値をＹ15とし、偏角が４５度の方向から測定した分光反射率から求めたＸＹＺ表色系におけるＹ値をＹ45として、２×（Ｙ15−Ｙ45）／（Ｙ15＋Ｙ45）によって求められ、前記ｃＦＦ値が、偏角が１５度の方向から測定した分光反射率から求めたＬ*ｃ*ｈ表色系におけるｃ*値をｃ*15とし、偏角が４５度の方向から測定した分光反射率から求めたＬ*ｃ*ｈ表色系におけるｃ*値をｃ*45として、２×（ｃ*15−ｃ*45）／（ｃ*15＋ｃ*45）によって求められ、前記メタル感指数が、前記Ｙ15及びＦＦから、Ｙ15×ＦＦ２によって求められ、前記深み感指数が、代表角度での分光反射率から求めたＬ*ｃ*ｈ表色系におけるＬ*値及びｃ*値をそれぞれＬ*R及びｃ*Rとし、これらを用いてｃ＊R／Ｌ＊Rによって求められ、前記鮮明度が、前記Ｌ*R及びｃ*Rを用いてｓｑｒｔ（Ｌ＊R2＋ｃ＊R2）によって求められることを特徴としている。
【手続補正１０】
【補正対象書類名】明細書
【補正対象項目名】００２３
【補正方法】変更
【補正の内容】
【００２３】
本発明に係る塗色の質感マップの作成システムは、演算装置と多角度分光光度計とを備え、塗色の色及び質感を表現し得る２つのパラメータを２つの座標軸とする２次元平面上に、複数の塗色を配置した塗色の質感マップを作成するシステムであって、複数の塗色の各々に関して、前記多角度分光光度計によって複数の受光角度における分光反射率が測定され、測定された前記分光反射率が前記演算装置に伝送され、前記演算装置が、複数の前記塗色の各々に関して、複数の前記分光反射率から少なくとも３つの特徴量を求め、少なくとも３つの前記特徴量を含むデータ群を主成分分析して、前記特徴量の１次式である第１主成分及び第２主成分を求め、複数の前記塗色の第１主成分及び第２主成分の値を求め、且つ、前記第１主成分及び第２主成分を２つの前記パラメータとして、前記第１主成分及び第２主成分の値を座標とする前記２次元平面上の位置に、前記塗色を配置して塗色の質感マップを作成し、前記特徴量が、ＩＶ値、ＳＶ値、ＦＦ値、ｃＦＦ値、メタル感指数、深み感指数、鮮明度からなる群の中から選択される何れかであり、前記ＩＶ値が、偏角が１５度の方向から測定した分光反射率から求めたＸＹＺ表色系におけるＹ値であり、前記ＳＶ値が、偏角が４５度の方向から測定した分光反射率から求めたＸＹＺ表色系におけるＹ値であり、前記ＦＦ値が、偏角が１５度の方向から測定した分光反射率から求めたＸＹＺ表色系におけるＹ値をＹ15とし、偏角が４５度の方向から測定した分光反射率から求めたＸＹＺ表色系におけるＹ値をＹ45として、２×（Ｙ15−Ｙ45）／（Ｙ15＋Ｙ45）によって求められ、前記ｃＦＦ値が、偏角が１５度の方向から測定した分光反射率から求めたＬ*ｃ*ｈ表色系におけるｃ*値をｃ*15とし、偏角が４５度の方向から測定した分光反射率から求めたＬ*ｃ*ｈ表色系におけるｃ*値をｃ*45として、２×（ｃ*15−ｃ*45）／（ｃ*15＋ｃ*45）によって求められ、前記メタル感指数が、前記Ｙ15及びＦＦから、Ｙ15×ＦＦ２によって求められ、前記深み感指数が、代表角度での分光反射率から求めたＬ*ｃ*ｈ表色系におけるＬ*値及びｃ*値をそれぞれＬ*R及びｃ*Rとし、これらを用いてｃ＊R／Ｌ＊Rによって求められ、前記鮮明度が、前記Ｌ*R及びｃ*Rを用いてｓｑｒｔ（Ｌ＊R2＋ｃ＊R2）によって求められることを特徴としている。
【手続補正１１】
【補正対象書類名】明細書
【補正対象項目名】００２４
【補正方法】変更
【補正の内容】
【００２４】
本発明に係る塗色の質感マップのデータ構造は、塗色の色及び質感を表現し得る２つのパラメータを２つの座標軸とする２次元平面上に、複数の塗色を配置した塗色の質感マップを作成するためのデータ構造であって、前記２次元平面上の座標を表す２つの前記パラメータの値と、塗色の色を特定する情報とが対応するように構成され、前記パラメータの値が、複数の前記塗色の各々に関して測定された複数の受光角度における分光反射率を用いて少なくとも３つの特徴量が求められ、少なくとも３つの前記特徴量を含むデータ群が主成分分析され、前記特徴量の１次式である第１主成分及び第２主成分が求められ、複数の前記塗色の各々に関して求められた、前記第１主成分及び第２主成分の値であり、前記特徴量が、ＩＶ値、ＳＶ値、ＦＦ値、ｃＦＦ値、メタル感指数、深み感指数、鮮明度からなる群の中から選択される何れかであり、前記ＩＶ値が、偏角が１５度の方向から測定した分光反射率から求めたＸＹＺ表色系におけるＹ値であり、前記ＳＶ値が、偏角が４５度の方向から測定した分光反射率から求めたＸＹＺ表色系におけるＹ値であり、前記ＦＦ値が、偏角が１５度の方向から測定した分光反射率から求めたＸＹＺ表色系におけるＹ値をＹ15とし、偏角が４５度の方向から測定した分光反射率から求めたＸＹＺ表色系におけるＹ値をＹ45として、２×（Ｙ15−Ｙ45）／（Ｙ15＋Ｙ45）によって求められ、前記ｃＦＦ値が、偏角が１５度の方向から測定した分光反射率から求めたＬ*ｃ*ｈ表色系におけるｃ*値をｃ*15とし、偏角が４５度の方向から測定した分光反射率から求めたＬ*ｃ*ｈ表色系におけるｃ*値をｃ*45として、２×（ｃ*15−ｃ*45）／（ｃ*15＋ｃ*45）によって求められ、前記メタル感指数が、前記Ｙ15及びＦＦから、Ｙ15×ＦＦ２によって求められ、前記深み感指数が、代表角度での分光反射率から求めたＬ*ｃ*ｈ表色系におけるＬ*値及びｃ*値をそれぞれＬ*R及びｃ*Rとし、これらを用いてｃ＊R／Ｌ＊Rによって求められ、前記鮮明度が、前記Ｌ*R及びｃ*Rを用いてｓｑｒｔ（Ｌ＊R2＋ｃ＊R2）によって求められることを特徴としている。
【手続補正１２】
【補正対象書類名】明細書
【補正対象項目名】００６５
【補正方法】変更
【補正の内容】
【００６５】
また、各塗色を配置すべき２次元平面上の座標を求めた後、コンピュータグラフィック技術を用いずに、紙や樹脂フィルムなどの平面上に座標軸を配置し、各塗色の座標値で指定される位置に所定の大きさで、塗色を表す色を配置（例えば印刷、描画）してもよい。